(57)【要約】【課題】不正な改造を発見しにくかった。【解決手段】スライドして開閉する筺体本体１０と蓋体２０とを合体させて制御ボックスを形成するに際し、予め筺体本体１０の側の挿入穴形成部１２に対して板バネ５０を挿入しておき、遊技機の制御基板３０を蓋体２０内部に保持させてスライドして装着する。蓋体２０と筺体本体１０とが対応する位置関係になったら、金属片挿入部２１と挿入穴形成部１２とが重なり合うので、金属片挿入部２１の開口２１ａ１に金属片４０を挿入していくと、足部４１ａは挿入穴１２ａ内で板バネ５０に係止し、金属片４０が挿入穴形成部１２から抜け出ることはできなくなる。金属片４０の折り返される部分は蓋体２０の金属片挿入部２１の開口２１ａ１内で架橋部２１ｂを挟み込みつつ止まっているので、蓋体２０をスライドさせることもできなくなり、結果として蓋体２０と筺体本体１０とは封止されることになる。【選択図】  図３
2011005331.tif 000002
【特許請求の範囲】
【請求項１】
開閉可能な制御ボックスを有する遊技機であって、
上記制御ボックスは筺体と蓋体とで構成されるとともに両者を閉状態で封止する筺体封止構造を備えており、同筺体封止構造は、
Ｕ型に折り返した部位を形成した金属片を有するとともに、
筺体の側には、上記筺体と蓋体との接触面に対面して上記金属片におけるＵ型に折り返した両端を挿入可能な挿入穴と、当該挿入穴内にて上記金属片における折り返した内側に係止して抜け止めを図るバネ片とを備え、
上記蓋体の側には、上記挿入穴と対面して上記金属片におけるＵ型に折り返した両端を挿通可能な挿通穴を備えたことを特徴とする遊技機。
【発明の詳細な説明】
【技術分野】
【０００１】
本発明は、スライドして開閉する制御ボックスを有する遊技機に関する。
【背景技術】
【０００２】
パチンコ機などの遊技機においては、制御部などに不正な改造が施されることを防止するため、開閉可能な制御ボックスを容易には開閉できないように筺体封止構造が採用されている。
【０００３】
従来、この種の筺体封止構造として、図１０と図１１に示すものが知られている。
【０００４】
同図において、樹脂製の蓋体１と筺体本体２とからなる筺体が制御ボックスである。制御ボックスにおける開口縁部には四ヶ所に筺体封止構造が形成されている。筺体封止構造は蓋体１の側の突出片１ａと、筺体本体２の側のナット保持部２ａとから構成されている。
【０００５】
図１１に示すように、突出片１ａにはネジ３を貫通させる貫通穴１ａ１が形成されている。このネジ３の軸部は、先端にのみ雄ネジ部３ｂが形成されており、その途中には雄ネジを形成していない延長部３ａとなっている。一方、ナット保持部２ａには内周面に雌ネジ部４ａを形成した筒状のインサートナット４が嵌入されており、このインサートナット４の長さは概ね上記延長部３ａよりも僅かに短めとしてあるとともに、インサートナット４のさらに奥側にはドーナツ状の板バネ部材５が挿入されている。
【０００６】
上記構成において、筺体本体２に蓋体１を位置合わせし、上記突出片１ａと上記ナット保持部２ａとが重なり合ったら、突出片１ａの貫通穴１ａ１に対してネジ３を挿入していき、上記インサートナット４に螺合させる。ネジ３を回転していくと、雄ネジ部３ｂはインサートナット４の雌ネジ部４ａに螺合していくが、ネジ３には延長部３ａが形成してあるので、ある時点で同雄ネジ部３ｂはインサートナット４を貫通する。また、貫通した時点で雄ネジ部３ｂは板バネ部材５をも貫通し、同板バネ部材５にて奥方向に付勢される。そして、貫通直後の状態が筺体本体２と蓋体１とが密閉された状態となる。
【０００７】
この後、筺体本体２から蓋体１を外そうとして、ネジ３を逆方向に回転させても、雄ネジ部３ｂは板バネ部材５にて奥方向に付勢されているのでインサートナット４の雌ネジ部４ａに螺合しない。このため、ネジ３を外すことはできず、筺体本体２から蓋体１を外すことはできない。必要に応じて開口する唯一の手法は、樹脂製の突出片１ａとナット保持部２ａのいずれかあるいは両方を破断させることである。図示した制御ボックスの場合、四対の筺体封止構造が備えられており、メインテナンスの必要で開口しなければならない場合に対応している。
【０００８】
また、他の筺体封止構造として、図１２に示すものが知られている。
【０００９】
同図において、蓋体５の側の突出片５ａと筺体本体６の側の突出片６ａとが対面し、バネ片７を利用して封止する。バネ片７は蓋体５の突出片５ａに形成したスリット５ａ１から挿入できるように略板状に形成され、上端縁部を丸めて支持部７ａを形成していると共に、下方の中間部には挿入方向と反対の側に起こされる切り起こし爪７ｂを形成している。一方、筺体本体６の突出片６ａには上記スリット５ａ１に対応してスリット６ａ１が形成されており、バネ片７は蓋体５のスリット５ａ１を介して挿入されると、そのまま筺体本体６のスリット６ａ１へと挿入されてくる。スリット５ａ１の奥は開口幅が狭くなっており、上記支持部７ａが引っかかり、そのまま下方へと抜け出てしまうことはない。一方、スリット６ａ１の側には上記切り起こし爪７ｂの挿入を妨げないものの、引き抜きを防止するように当該スリット６ａ１の貫通方向と直交する小室６ａ２を形成してある。従って、上記バネ片７を挿入すれば、上記引き起こし爪７ｂが同小室６ａ２内に入り込み、以後、挿入方向と逆方向へ引き抜くことを防止する。
【００１０】
また、バネ片７の挿入後、蓋体５のスリット５ａ１の開口部には紫外線硬化樹脂を充填する。これにより、バネ片７を上方から抜き出すことは不可能となる。
【発明の概要】
【発明が解決しようとする課題】
【００１１】
上述した従来の開口部位封止構造においては、次のような課題があった。  前者の例では、作業の際に締め込み不足が発生すると、逆方向に回して取り外せる余地があった。また、ナット保持部の裏側が樹脂製の壁材しか配置されておらず、この部位を破壊してネジ３を手前側に付勢しつつ逆回転させると、ネジ３を外せる可能性があった。この場合、裏側だけを破壊するので前面からは破壊されていることが容易に分からず、長期にわたって不正を発見できないことがあった。
【００１２】
後者の例では、紫外線硬化樹脂を充填することにより、バネ片７を上方から抜き出すことは不可能となっているが、筺体本体６の裏側に開口しているスリット６ａ１の細い板状のものを挿入して引き起こし爪７ｂを寝かせつけると、小室６ａ２と干渉しなくなってしまい、封止を解くことができてしまう。
【００１３】
本発明は、上記課題にかんがみてなされたもので、不正な改造を施しにくくすることが可能な筺体封止構造を採用した遊技機の提供を目的とする。
【課題を解決するための手段】
【００１４】
上記目的を達成するため、請求項１にかかる発明は、開閉可能な制御ボックスを有する遊技機であって、上記制御ボックスは筺体と蓋体とで構成されるとともに両者を閉状態で封止する筺体封止構造を備えており、同筺体封止構造は、Ｕ型に折り返した部位を形成した金属片を有するとともに、筺体の側には、上記筺体と蓋体との接触面に対面して上記金属片におけるＵ型に折り返した両端を挿入可能な挿入穴と、当該挿入穴内にて上記金属片における折り返した内側に係止して抜け止めを図るバネ片とを備え、上記蓋体の側には、上記挿入穴と対面して上記金属片におけるＵ型に折り返した両端を挿通可能な挿通穴を備えた構成としてある。
【００１５】
上記のように構成した請求項１にかかる発明において、当該遊技機の制御ボックスを有しており、筺体封止構造により当該制御ボックスを閉状態で封止可能となっている。封止する際には、筺体と蓋体との接触面に対面するに筺体の挿入穴と蓋体の挿通穴とを位置合わせした状態で、同挿通穴の側からＵ型に折り返した金属片を挿入していく。筺体の挿入穴の内部にはバネ片が備えられており、同金属片を挿入していくときに当該金属片における折り返した内側部分と係止し、金属片自体の抜け止めが図られる。この状態ではＵ型に折り返した金属片が蓋体の一部を跨ぐようにして筺体の側に挿入されて抜け止めされることになり、筺体と蓋体とは相対的に移動不能となる。従って、両者は封止される。
【００１６】
このようにＵ型に折り返した金属片はその内側部分で抜け止めを図られるようになっており、抜け止めを解除しようとするときには金属片の内側の部位を破壊する必要がある。しかしながら、Ｕ型に折り返された形状となっているので、内側を破壊することは極めて困難であり、結果として不正を防止する効果が高い。すなわち、金属片とバネ片が連携してバネ片への不正を排除することにより、制御ボックスが不正に開かれることを防止する。
【００１７】
本発明は、上記の構成に限られるものではなく、以下の手段も含むものである。
【００１８】
手段１  上記バネ片の構成として、板バネで形成してもよい。
【００１９】
板バネであればＵ形とした金属片の内側に同金属片の内側に切り欠き部位を形成するなどして容易に係止できる。
【００２０】
手段２  同板バネの構成として、コの字型に切り溝を形成しつつ内側の短冊片を斜めに起こした切り起こし爪を形成し、上記金属片の内側部分には、同切り起こし爪の先端にて抜け止めを図れるようにする鋸刃状の切り欠き部位を形成してもよい。
【００２１】
金属片に鋸刃状の切り欠きを形成すれば、挿入方向には板バネの切り起こし爪を撓めるだけで挿入できるが、逆方向には両者が互いに食い込むようになって抜け止めを図れる。
【００２２】
手段３  ここで、上記切り起こし爪の幅と上記金属片の幅については、実質的に同程度の幅とする。切り起こし爪が鋸刃状の切り欠き部位に入り込んでいる場合、金属片の下方から観察したときに、同切り起こし爪の幅の方が狭ければ当該切り起こし爪の先端部分を観察することはできない。従って、下方から異物を挿入して切り起こし爪を寝かせようとしても、上記金属片に妨げられることになる。その意味では、切り起こし爪の方が僅かに幅広であったぐらいでは当該切り起こし爪全体を寝かせるということもできなくなるので、実質的に同等の幅というのは金属片からはみ出た切り起こし爪に対して寝かせ付けることができない程度の幅のものまでを含むといえる。
【００２３】
手段４  上記切り起こし爪は、制御ボックスの内部に対面するように形成する。
【００２４】
切り起こし爪が、制御ボックスの外方に向いているのであれば、その外壁に穴を開けるなどして同切り起こし爪を寝かせるような不正が可能になりやすい。しかし、切り起こし爪が制御ボックスの内部に対面しているのであれば、制御ボックスの内側から穴を開けることは不可能なので、不正を防止できる。
【００２５】
手段５  上記切り起こし爪を形成している板バネの先端側には、上記切り起こし爪を起こしている側に向かって屈曲せしめた折り返し端を形成しても良い。
【００２６】
上述したように切り起こし爪を寝かせてしまえば、金属片を抜けてしまうが、板バネの先端を同方向に折り返しておくことにより、下方から同切り起こし爪に向けて異物を挿入しようとしたときに同折り返し端の先に進むことができず、切り起こし爪に到達できないので不正を防止できる。
【００２７】
手段６  むろん、この折り返し端は単に切り起こし爪への不正を防止するだけに形成するのではなく、当該折り返し端を板バネの挿入穴の奥側に対して係止させることにより、当該板バネを抜き取り不能にさせるようにしても良い。
【００２８】
このようにすれば、引き起こし爪への不正アクセスの防止と板バネの抜き取り防止を兼用することができる。
【００２９】
手段７  上記板バネの上端側を断面略コの字型に形成し、筺体の挿入穴の縁部に係止させるようにしてもよい。
【００３０】
板バネに対する不正は各種のものが考えられるが、板バネを下方から引き抜いてしまうということも行われうる。このような場合の対策として、板バネの上端をコの字形にして係止させておけば、単に下方側に穴を開けたとしても引き抜くことを防止できる。
【００３１】
手段８  上記板バネには、板バネの基部を上記金属片の切り欠き部位の側に向けて弾性支持するための弾性支持爪を形成しても良い。
【００３２】
基部自体が弾性支持されているので金属片を挿入するときに切り起こし爪をつぶしてしまいにくく、抜け止めの信頼性を向上させることになる。
【００３３】
手段９  上記板バネは、幅方向の両側に上記弾性支持爪を形成しつつ、内側に上記切り起こし爪を形成しても良い。
【００３４】
このようにすれば、板バネを安定して弾性支持でき、結果として切り起こし爪が切り欠き部位に対して係止する状態も安定する。
【００３５】
手段１０  上記弾性支持爪には、先端側にて上記挿入穴内の平面状の壁面と対面する平面状の部位を形成しても良い。
【００３６】
弾性支持爪の先端部位が平面となって挿入穴の壁面と対面することにより、平面同士が対面する状態で安定した姿勢保持ができ、結果として切り起こし爪が切り欠き部位に対して係止する状態も安定する。
【００３７】
手段１１  上記金属片は、Ｕ型に折り返した一方を長く、他方を短く形成してもよい。
【００３８】
手段１２  上記金属片は、Ｕ型に折り返した両端を略等長としつつ、両者の内側に上記切り欠き部位を形成してもよい。
【００３９】
手段１３  上記蓋体の挿通穴は、上記金属片を挿通させた状態にて、樹脂を充填して硬化させるようにしても良い。このようにすれば、板バネに対する不正の有無にかかわらず、金属片の引き抜きが困難になり、不正を防止できる。
【００４０】
手段１４  金属片の挿入方向と、蓋体と筺体との開閉方向とは、直交することも、平行することも可能である。しかし、両者の方向が直交方向とすることにより、金属片の抜け止めを図るだけで、蓋体と筺体とを開くことをより効果的に防止できる。なぜなら、平行している場合には、Ｕ型に折り返した金属片がその折り返し部分で蓋体を押さえつけるようにして開くことを防止するため、開くことを防止するのは、金属片の先端側での板バネの係止力のみで決定されてしまう。従って、引き起こし爪などの各部の耐久力を上げないと不正防止効果を上げられない。しかし、直交する場合には板バネが金属片を保持する力とは関係なくなり、金属片自体の耐久力で開くことを防止できるため、極めて多大な力をかけないと開くことはできないからである。
【００４１】
手段１５  上記挿入穴と挿通穴は、複数対を用意しておき、かつ、いずれか一方は、他の部位との間に容易に破損可能な連結部位を形成しても良い。
【００４２】
このようにすれば、封止後に解除する必要が生じたときには同連結部位を破損させて封止を解除し、再度、別の対を利用して封止することができる。
【００４３】
手段１６  この連結部位は、当該制御ボックスを正面から見たときに平面上に配置されるようにしても良い。
【００４４】
連結部位を破産させても見にくい場所にあれば不正に気づきにくいが、制御ボックスを正面から見たときに連結部位が平面上に配置されていれば、破損箇所を容易に視認でき、不正を防止できる。
【００４５】
手段１７  用途によっては開閉の頻度が異なる場合がある。このような場合に好適な一例として、上記複数個の操作子保持部は、上記連結部位の数が相違する構成としてもよい。
【００４６】
例えば、開閉することは基本的にあり得ないことを前提とするものでは、最初の封止が最も不正に空けられにくくしておくと不正を行いにくくなる。従って、このようなものでは、最初に封止される操作子保持部を連結する連結部位の数を多くしておけばよい。また、検査工程などを経るときに必ず二回は封止を開くというのであれば、三回目の封止に利用する操作子保持部を連結する連結部位の数を多くしておけばよい。なお、この場合の連結部位の数は、封止を解く際に破断を要する数であり、順次、破断していくときに既に破断されている壁材の数を含めないようして数えてもよい。
【００４７】
手段１８  複数対を用意するときには普段は係止していない予備の金属片を保持させておくと便利であり、このときに上記筺体の側における上記挿入穴の側方に配置するようにしても良い。
【００４８】
挿入穴の側方に予備の金属片が保持されることにより、金属片の抜け止めを図るバネ片は、Ｕ型に折り返した金属片によって両方向からガードされ、かつ、側方を同予備によってガードされる。これにより、不正を行いにくくできる。
【００４９】
手段１９  筺体と蓋体とがスライドして装着される場合、上記蓋体は遊技機の制御基板を保持し、保持した状態で上記筺体本体に対してスライドして装着されるとともに、上記蓋体の内側壁面から同制御基板状に配置したＩＣを取り囲むように壁材を延設した構成としてもよい。
【００５０】
従来は、筺体本体に制御基板を配置するときに部品載置面を開口側に向けておき、この筺体本体と蝶番などで連結されている蓋体を回動させて上記開口を塞ぐようにしている。すなわち、ＩＣなどは開口側に面しており、蓋体で開口を塞いだとしても、蓋体内ではＩＣを覆うものはない。このため、隙間などがあれば、外部から巧妙な不正を行うこともあり得る。
【００５１】
これに対して、上記のように構成した発明においては、上記蓋体に遊技機の制御基板を保持させる。このとき、蓋体の内面に対して制御基板における部品載置面を向けて収容するようにし、かつ、載置されたＩＣを取り囲むように蓋体の内周壁面からは壁材を延設している。これにより、ＩＣの側方をすっぽりと覆うことが可能となり、このようにして覆った場合には筺体の隙間からＩＣの下面に異物を差し込むような不正を防止できる。そして、主に部品載置面と反対の面が露出する状態で筺体本体に対してスライドすれば容易に装着される。
【００５２】
手段２０  また、制御基板には外部へ導出されるケーブルやコネクタが取り付けられており、このケーブルやコネクタに対応して筺体の側にも開口部が必要である。筺体本体と蓋体とが蝶番で連結されている場合には、開閉時に円弧を描く関係から、ケーブルを取り出す部分の開口がケーブルやコネクタと干渉しないように大きめにせざるを得ないし、制御基板の盤面と密接するような形状とはできなかった。
【００５３】
しかし、上記蓋体で遊技機の制御基板を保持させつつ、保持した状態で上記筺体本体に対してスライドして装着させる場合には、制御基板における部品載置面上のケーブルの取出位置やコネクタの装着位置の周辺部位に対向する上記蓋体の内周壁面から壁材を延設させ、同壁材の先端が制御基板に当接するようにして隙間を生じさせない構成としても良い。
【００５４】
このようにした場合も、部品載置面を蓋体の内面に向けて取り付けるので、ケーブルやコネクタのための開口部でも基板表面に密接するように壁材を延設することができ、これによって外界との間に生じる隙間をできる限り少なくして不正を防止することができる。
【００５５】
手段２１  また、上記金属片は所定の色を着色しても良い。
【００５６】
着色する色分けを利用することにより、封止状態を示すようにできる。また、制御基板などを収容する場合は、同制御基板のバージョンを示すようにしても良い。さらに、バージョンのみならず出荷時期を表すようにしても良い。バージョンや出荷時期を着色で示す場合、遊技機の場合であれば古い機種の制御ボックスを利用して不正を図ろうとしても着色の違いによって制御ボックスを交換したことが分かるようになる。
【００５７】
手段２２  また、各種の遊技機に適用可能であり、遊技機の一例として、パチンコ機に適用し、筺体封止構造が、同パチンコ機の背面側から視認できる位置に配置する構成とする。
【００５８】
パチンコ機は、営業時間中を含めて頻繁に開いてその背面側が目に触れるものである。このため、同筺体封止構造が背面側から視認できる位置にあることによって不正を防止できる。
【００５９】
パチンコ機のような遊技機では、ゲーム内容に対応する遊技プログラムを記録したＩＣが制御ボックスに収容され、当該ＩＣの内容を書き換える不正が行われる可能性がある。このため、同制御ボックスに本発明の筺体封止構造を適用することにより、不正を未然に防ぐことができる。
【００６０】
手段２３  また、上記遊技機はスロットマシンであり、この筺体封止構造を遊技機の制御ボックスに適用する場合、当該制御ボックスは同スロットマシンの内部あるいは背面側に配置され、同スロットマシンを開いたときに同筺体封止構造を容易に視認できる位置に配置した構成とする。
【００６１】
スロットマシンも、営業時間中を含めて頻繁に開いてその背面側が目に触れるものである。このため、同筺体封止構造が背面側から視認できる位置にあることによって不正を防止できる。
【００６２】
手段２４  また、上記遊技機はパチロットであり、この筺体封止構造を遊技機の制御ボックスに適用する場合、当該制御ボックスは同パチロットの内部あるいは背面側に配置され、同パチロットを開いたときに同筺体封止構造を容易に視認できる位置に配置した構成とする。
【００６３】
パチロットは、メダルの代わりに一定数のパチンコ球を使用して絵合わせを行うパチンコ機とスロットマシンの両方の特徴を備えた遊技機である。このようなパチロットも、営業時間中を含めて頻繁に開いてその背面側が目に触れるものである。このため、同筺体封止構造が背面側から視認できる位置にあることによって不正を防止できる。
【発明の効果】
【００６４】
以上説明したように本発明は、不正を行いにくくすることが可能な筺体封止構造を採用した遊技機を提供することができる。
【００６５】
また、手段１にかかる発明によれば、バネ片を板バネで形成するので、小さなスペースに配置することができる。
【００６６】
さらに、手段２にかかる発明によれば、板バネの切り起こし爪と金属片の鋸刃状の切り欠き部位とにより簡易な構成で抜け止めを図ることができる。
【００６７】
さらに、手段３にかかる発明によれば、引き起こし爪を金属片で覆うことができ、引き起こし爪に対する下方からの不正をより有効に防止できる。
【００６８】
さらに、手段４にかかる発明によれば、引き起こし爪の方向を制御ボックスの内部側に向けることによって、外側からの引き起こし爪への不正を防止することができる。
【００６９】
さらに、手段５にかかる発明によれば、板バネの先端を引き起こし爪と同一方向に向けておくことによって同引き起こし爪への不正行為をより有効に防止できる。
【００７０】
さらに、手段６にかかる発明によれば、折り返した板バネの先端で当該板バネの引き抜きを防止できるので、折り返し端をより有効に利用できる。
【００７１】
さらに、手段７にかかる発明によれば、板バネの他端をコの字形にすることにより、板バネの引き抜きを防止でき、不正行為を防止できる。
【００７２】
さらに、手段８にかかる発明によれば、板バネを弾性支持爪で弾性支持することにより、切り起こし爪の変形を防いで抜け止め効果を安定して供給することができる。
【００７３】
さらに、手段９にかかる発明によれば、幅方向の両側に上記弾性支持爪を形成しつつ内側に切り起こし爪を形成することによって、板バネの姿勢を安定させ、抜け止め効果を安定して供給することができる。
【００７４】
さらに、手段１０にかかる発明によれば、上記弾性支持爪の姿勢を安定させ、抜け止め効果を安定して供給することができる。
【００７５】
さらに、手段１１にかかる発明によれば、簡易な形態の金属片を提供することができる。
【００７６】
さらに、手段１２にかかる発明によれば、金属片を略対称にし、方向を問わずに装着できるといったことが可能となる。
【００７７】
さらに、手段１３にかかる発明によれば、金属片を樹脂で固めて引き抜きを防止でき、さらなる不正防止に貢献する。
【００７８】
さらに、手段１４にかかる発明によれば、金属片の挿入方向を工夫することによって金属片自体の剛性で封止の解除を防止でき、不正を有効に防止できる。
【００７９】
さらに、手段１５にかかる発明によれば、容易に破損可能な連結部位を形成しておくことにより、必要に応じて封止の解除を行えるようになる。
【００８０】
さらに、手段１６にかかる発明によれば、制御ボックスを正面から見たときに不正を容易に発見できるようになる。
【００８１】
さらに、手段１７にかかる発明によれば、連結部位の数が相違させて封止の解除の必要性に対応させ、必要なときの封止解除を容易にすることができる。
【００８２】
さらに、手段１８にかかる発明によれば、予備の金属片を側方に配置することによって、ガードをはかり、不正を行いにくくすることができる。
【００８３】
さらに、手段１９にかかる発明によれば、遊技機における制御基板上のＩＣに不正を行いにくくなる。
【００８４】
さらに、手段２０にかかる発明によれば、遊技機におけるケーブルの引き出し部位からの不正を行いにくくできる。
【００８５】
さらに、手段２１にかかる発明によれば、着色することにより、各種の区別を容易にし、不正を防止し易くできる。
【００８６】
さらに、手段２２にかかる発明によれば、パチンコ機の遊技領域における背面側から視認でき、営業時間中を含めて頻繁に開かれるので目に触れ易く、早期に発見して不正に基づく損失を最小限とすることができるし、未然に不正を防止できる。
【００８７】
さらに、手段２３にかかる発明によれば、スロットマシンの内部に配置されつつ、同スロットマシンを開いたときに視認できるので、早期に発見して不正に基づく損失を最小限とすることができるし、未然に不正を防止できる。
【００８８】
さらに、手段２４にかかる発明によれば、パチロットの内部に配置されつつ、同パチロットを開いたときに視認できるので、早期に発見して不正に基づく損失を最小限とすることができるし、未然に不正を防止できる。
【図面の簡単な説明】
【００８９】
【図１】本発明の一実施形態にかかる筺体封止構造を適用した遊技機の制御ボックスの斜視図である。
【図２】同筺体封止構造を示す制御ボックスの一部破断斜視図である。
【図３】同筺体封止構造を示す制御ボックスの要部断面図である。
【図４】樹脂壁の破損箇所を示す平面図である。
【図５】変形例の筺体封止構造を示す制御ボックスの要部断面図である。
【図６】他の変形例の筺体封止構造を示す制御ボックスの要部断面図である。
【図７】制御基板を保持した蓋体の断面図である。
【図８】本筺体封止構造を適用した制御ボックスを使用するパチンコ機の背面図である。
【図９】本筺体封止構造を適用した制御ボックスを使用するスロットマシンの背面図である。
【図１０】従来の筺体封止構造が適用される制御ボックスの外観を示す斜視図である。
【図１１】従来の筺体封止構造の概略断面図である。
【図１２】他の従来例にかかる筺体封止構造の概略断面図である。
【図１３】板バネの正面図である。
【図１４】変形例にかかる板バネの正面図である。
【発明を実施するための形態】
【００９０】
以下、図面にもとづいて本発明の実施形態を説明する。
【００９１】
図１は、本発明の一実施形態にかかる筺体封止構造を適用した遊技機の制御ボックスを斜視図により示しており、図２は要部を拡大しつつ破断した斜視図により示している。
【００９２】
図において、筺体本体１０は略矩形状とした全体形状のうち、相対面する辺にレール状のガイド部１１，１１を有しており、同様に略矩形形状とした蓋体２０における相対面する辺に形成した鍔状部２４，２４を同ガイド部１１，１１に沿わせるようにしてスライドして装着できるようになっている。この例では、蓋体２０の側が深みのある形状となっており、遊技機に使用する制御基板３０をその部品載置面３１の側から内面に対面させつつ、同制御基板３０を保持するようにしている。
【００９３】
筺体本体１０における上記ガイド部１１，１１の挿入端とは反対側の辺には挿入穴形成部１２が五つ連結されて形成され、その外側には金属片４０の予備を収容する予備収容部１３が二つ形成されている。一方、スライドして装着されてくる蓋体２０の側には各挿入穴形成部１２を覆蓋して対面する位置に上記金属片４０を挿入可能なスリットを有する金属片挿入部２１が形成され、この金属片挿入部２１は周囲の部材に対して比較的破損し易いようにした樹脂壁２２ａ，２２ｂを介して連結されている。なお、挿入穴形成部１２には、板バネ５０が収容されている。
【００９４】
図３は筺体封止構造を断面図により示している。金属片４０はＵ型に折り返して二つの足部４１ａ，４１ｂを有する形状となっており、この例では一方の足部４１ａが長く、他方の足部４１ｂが短く形成されている。長い側の足部４１ａにおける内側の辺には三つの切り欠き部位４１ｃを形成してあり、各切り欠き部位４１ｃは鋸刃状の突起４１ｄの凹部として形成されている。鋸刃状の突起４１ｄは足部４１ａを挿入していくときに障害物を乗り越えやすくなる斜面が対面し、足部４１ａを引き抜こうとするときに障害物に食い込みやすくする方向性となっている。
【００９５】
板バネ５０は、短冊状の金属板片を概略Ｌ字形に屈曲して形成されている。より詳細には、図１３に示すように、長片５１の部分の先端５１ａを短片５２の部分とは反対方向に鋭角にして折り返してあり、また、長片５１の部分の両サイドにて短片の側から切り起こし弾性支持爪５１ｃ，５１ｃを形成すると共に、当該長片５１の中央部分には長さ方向に沿って三ヶ所をコの字型に切りつつその内部を起こして切り起こし爪５１ｄを形成してある。
【００９６】
弾性支持爪５１ｃは長片５１に対して斜めに起こされているが、その先端部分は再度折り曲げて長片５１と平行となるように形成してある。切り起こし爪５１ｄは、長片５１の先端側に向かう側が起こされており、図３に示すように、金属片４０の足部４１ａを挿入していくときに、上記鋸刃状の突起４１ｄの挿入を妨げないが、足部４１ａを引き抜こうとするときには先端が切り欠き部位４１ｃ内に入り込んで抜け止めを図るようになっている。
【００９７】
この切り起こし爪５１ｄの幅は、金属片４０の足部４１ａとほぼ同等か、それ以下になるようにする。このようにすると、下方から見たときに切り起こし爪５１ｄは金属片４０にカバーされ、外部から異物を挿入して切り起こし爪５１ｄを寝かせるとということが困難になる。
【００９８】
引き起こし爪５１ｄを切り起こす方向については、制御ボックスの内部に向けている。このようにすれば、切り起こし爪５１ｄを寝かせようとするためには制御ボックスの内側から穴を開けなければならず、制御ボックスが開いていて初めて実現できるので、不正行為を防止できることになる。また、先端５１ａは、図１４に示すように、全幅にわたって屈曲させるようにしてもよい。このようにしたときには、切り起こし爪５１ｄを寝かせるために下方から異物を挿入しようとしても、当該先端５１ａにてカバーされて先へ進むことができず、結局、不正を防止できることになる。
【００９９】
なお、短片５２の先端５２ａは長片５１の先端５１ａと同方向に折り返してある。このように短片５２の先端５２ａを折り返すことにより、後述するように壁材１２ｃの反対面に引っかかり、板バネ５０を図３にて下方に引き抜こうとする不正行為に対向することができる。
【０１００】
挿入穴形成部１２は上記金属片４０の足部４１ａ，４１ｂに対応して二つの挿入穴１２ａ，１２ｂが形成されている。長い方の足部４１ａに対応する挿入穴１２ａには上記板バネ５０の長片５１が挿入されるようになっており、さらに際奥部には長片５１の先端５１ａが入り込んで係止可能な凹部１２ａ１を形成してある。
【０１０１】
板バネ５０を挿入穴１２ａに挿入していくとき、先端５１ａが凹部１２ａ１に入り込んで抜け止めが図られると共に、上記弾性支持爪５１ｃは挿入穴１２ａの壁面に当接して長片５１がやや浮いた状態で支持される。ここで、短片５２は挿入穴１２ａ内には入らず、挿入穴１２ａと挿入穴１２ｂの間に形成される壁材１２ｃに当接し、さらに、短片５２における折り返した先端５２ａが挿入穴１２ｂの側に入り込む。従って、長片５１は短片５２と接続する根本の側で壁材１２ｃにて移動を規制されつつ、中間の部位では弾性支持爪５１ｃによって上記壁材１２ｃから離れる側に付勢され、先端５１ａが凹部１２ａ１内にしっかりと入り込んで抜けないように保持されることになる。
【０１０２】
筺体本体１０の挿入穴形成部１２に対応する蓋体２０の金属片挿入部２１は板状の金属片４０を挿入できるようにスリット状の開口２１ａ１を有する平たい筒状の本体部分２１ａを有しており、この本体部分２１ａはその長手方向の一端で蓋体２０と樹脂壁２２ａを介してに連結されている。樹脂壁２２ａは他の部位の壁部よりもやや薄目に形成されており、この部位で比較的容易に破壊できるようになっている。また、本体部分２１ａ同士を横並び方向に連結する樹脂壁２２ｂは全体的には幅広に形成されているが、中央には一端から切り欠き２２ｂ１を形成しており、実質的には短い幅でのみ連結されている。従って、この部位で比較的容易に破壊できるようになっている。なお、スリット状の開口２１ａ１内には二股とした金属片４０の足部４１ａ，４１ｂがそれぞれ挿入可能な開口を形成するための架橋部２１ｂが形成されている。
【０１０３】
五つの挿入穴形成部１２を挟むようにその外側には金属片４０の予備を収容する予備収容部１３が二つ形成されており、それぞれに金属片４０を２つずつ、合計４つの予備を入れることができる。予備収容部１３は上方に開口を有しており、金属片４０を上方から挿入可能である。また、蓋体２０の側には、筺体本体１０に対してスライドして装着されるときに同予備収容部１３の上方を覆蓋する位置に予備収容部用蓋部２３が形成されている。
【０１０４】
上記構成において、予め上記挿入穴形成部１２に対して上記板バネ５０を挿入しておく。板バネ５０の長片５１が挿入穴１２ａの奥まで挿入された状態では折り返した先端５１ａが凹部１２ａ１内に入り込み、当該板バネ５０が抜け出ることを防止する。また、短片５２は壁材１２ｃに当接しつつその折り返した先端５２ａが反対側の挿入穴１２ｂに入り込むようにして引っかかる。このとき、途中に形成した弾性支持爪５１ｃは当該板バネ５０を壁材１２ｃから微少距離だけ浮かせて支持することになる。なお、板バネ５０は五つの各挿入穴形成部１２内に装着しておき、予備収容部１３内にはそれぞれ二つずつの金属片４０を挿入しておく。以上で筺体本体１０の側の準備は完了する。
【０１０５】
蓋体２０の側では、遊技機に使用する制御基板３０をその部品載置面３１の側から内面に対面させ、同制御基板３０を蓋体２０内部に保持させる。そして、鍔状部２４，２４を筺体本体１０のガイド部１１，１１に沿わせるようにしてスライドして装着する。蓋体２０と筺体本体１０とが対応する位置関係になると、上記金属片挿入部２１と挿入穴形成部１２とが重なり合うことになる。そこで、金属片挿入部２１におけるスリット状の開口２１ａ１に金属片４０を挿入していくと、両足部４１ａ，４１ｂが架橋部２１ｂを挟み込むようにしてそれぞれ挿入穴形成部１２の挿入穴１２ａ，１２ｂ内に入っていく。足部４１ａが挿入穴１２ａ内に進入していくときに、切り起こし爪５１ｄが干渉するが、切り起こし爪５１ｄの起こされている傾斜と足部４１ａに形成されている鋸刃状の突起４１ｄの傾斜面とが互いに乗り過ごせる方向になっており、足部４１ａは挿入穴１２ａ内の所定位置まで挿入できる。むろん、挿入後は両者が食い込むように対面するので、抜け止めを図ることができる。そして、板バネ５０自体は先端５１ａにて挿入穴１２ａの奥の凹部１２ａ１内に入り込んで保持されているため、金属片４０が挿入穴形成部１２から抜け出ることはできなくなる。
【０１０６】
足部４１ａが挿入穴１２ａ内に挿入されるのに伴って足部４１ｂも挿入穴１２ｂ内に挿入され、この状態でＵ型の金属片４０は両足部４１ａ，４１ｂの先端を挿入穴形成部１２にて固定される。そして、金属片４０の折り返される部分は蓋体２０の金属片挿入部２１の開口２１ａ１内で架橋部２１ｂを挟み込みつつ止まっているので、蓋体２０をスライドさせることもできなくなり、結果として蓋体２０と筺体本体１０とは封止されることになる。
【０１０７】
この後、封止を解除して制御ボックスを開ける必要が生じたときには、樹脂壁２２ａと樹脂壁２２ｂとを破壊する。Ｕ型とした金属片４０が挿入されている金属片挿入部２１は架橋部２１ｂで挿入穴形成部１２の上に押さえつけられているので、蓋体２０を筺体本体１０からスライドさせると、一度封止された部分の金属片挿入部２１だけが筺体本体１０上に残ったまま、蓋体２０は筺体本体１０から離れることができる。
【０１０８】
ところで、挿入穴形成部１２は横並び方向に対称に形成されており、一見すると各挿入穴形成部１２を支持する樹脂壁２２ａ，２２ｂの数は同様であるが、実際の使用時には異なる。例えば、図４に示すように、一番下にある挿入穴形成部１２に対する樹脂壁２２ａ，２２ｂを破壊するときには、初めてであるなら○で示すように三つの破損部位となる。しかしながら、下から二つ目の挿入穴形成部１２を解除するときには△で示すように破損すべき部位は二ヶ所になる。この差異は、解除のしやすさに影響を与えるので、通常は解除すること自体が殆ど無いのであれば、最初に解除する際に破損すべき樹脂壁２２ａ，２２ｂの数が多いほど不正をしにくくなる。
【０１０９】
また、検査の工程を経る前に一度組み付ける必要があるというようなときには必ず一度は解除しなければならないことが明らかである。このため、最初の挿入穴形成部１２については樹脂壁２２ａだけで支持する構成としておき、横並びの間の樹脂壁２２ｂを形成しておかないというようにしても良い。このようにすれば、検査工程の際に一つの樹脂壁２２ａだけを破損すればよくなるので、解除の手間が低減される。
【０１１０】
なお、樹脂壁２２ａ，２２ｂの破損させやすさは、その数だけでなく、厚みによって調整してもよい。
【０１１１】
むろん、上述した金属片４０や板バネ５０、および挿入穴形成部１２の形状などは様々に変形可能である。
【０１１２】
図５は板バネ５０が壁材１２ｃを囲い込むようにして固定させる例を示している。
【０１１３】
上述した例では、長片５１の先端を折り返して引っかけるようにしているが、この例では、短片５２の側を壁材１２ｃよりも長くしておき、これを挿入穴１２ｂの側で壁材１２ｃに沿って折り返し（折り返し部５２ｂ）、さらに先端５２ｃを折り返している。このようにすると、折り返し部５２ｂと長片５１の弾性支持爪５１ｃとで壁材１２ｃを挟み込むことになるので、板バネ５０の姿勢が安定して保持される。また、短片５２の先端５２ｃが壁材１２ｃに係止することにより、板バネ５０の抜け止めが図られる。
【０１１４】
また、図６は板バネ５０と金属片４０を対称形状にして装着時の作業性を向上させる例を示している。
【０１１５】
この板バネ５０は短片５２を介して二つの長片５１，５１が形成されている。そして、挿入穴１２ａ，１２ｂのそれぞれの先端に凹部１２ａ１，１２ｂ１を形成してあり、各長片５１，５１の先端５１ａ，５１ａにて係止する構成となっている。金属片４０については、両足部４１ａ，４１ｂを等長で形成し、両方に切り欠き部位４１ｃと鋸刃状の突起４１ｄとが形成されている。このように対称形状で板バネ５０と金属片４０とを形成してあるので、方向性を誤って装着するということがなくなり、作業性を向上させることができる。
【０１１６】
本実施形態では、スライドして脱着される蓋体２０の側に制御基板３０を保持させる構成としてある。図７は保持状態を断面図により示している。通常、筺体本体に制御基板を保持してあると、蓋体というのは制御基板に対して密着させることができず、どこかに隙間が生じがちである。例えば、ケーブルの引き出し部位に隙間が生じ、この隙間から異物を差し込んで不正を行おうとする可能性がある。
【０１１７】
しかしながら、本実施形態では、深みのある形状となっている蓋体２０に対して制御基板３０をその部品載置面３１の側から内面に対面させて収容している。また、蓋体２０の内周面から制御基板３０上の重要部品であるＩＣソケット３２とＩＣ３３を取り囲むように遮蔽壁材２５を立設させ、同遮蔽壁材２５の先端がほぼ制御基板３０の表面に当接している。このため、異物にてＩＣ３３に到達しうることは不可能となっている。
【０１１８】
また、ケーブル３４についても、ケーブル３４自体は外部に導出させなければならないので制御基板３０の表面を外部に露出させなければならない。しかし、開口部位から当該ケーブル３４の周囲で制御基板３０に当接しうる程度の長さの遮蔽壁材２６を形成しておくことにより、隙間が生じない。これにより、異物などを挿入させること自体も不可能になる。
【０１１９】
なお、図８はパチンコ機を背面図により示しており、本筺体封止構造を適用した制御ボックスが背面側から視認できるように装着されている。
【０１２０】
パチンコ機６０の背面側には矩形箱形の制御ボックス７０が装着されている。ここで、同制御ボックス７０は長片の一辺に形成した蝶番機構にて蓋体と筺体とが開閉可能になっており、両方の短辺には本筺体封止構造が採用されている。すなわち、蓋体の金属片挿入部２１と筺体の挿入穴形成部１２はそれぞれ蓋体と筺体の短辺にそれぞれ４対ずつ形成されており、封止可能となっている。むろん、必要に応じて開口させることもできる。図に示すように、パチンコ機６０の背面側から直に視認できる位置に配設されているため、メンテナンスのためにパチンコ機６０を開いたときには容易に視認できる。従って、制御ボックス７０内に手を加えるなどのために金属片挿入部２１や挿入穴形成部１２を破損させれば、次のメンテナンス時にはすぐに見つかってしまう。
【０１２１】
また、図９はスロットマシン（パチスロ）８０の背面を示している。同スロットマシン８０の背面側にも矩形箱形の制御ボックス９０が装着されている。ここで、同制御ボックス９０は図示しない蝶番機構にて蓋体と筺体とが開閉可能になっており、両方の短辺には本筺体封止構造が採用されている。すなわち、蓋体の金属片挿入部２１と筺体の挿入穴形成部１２はそれぞれ蓋体と筺体の短辺にそれぞれ４対ずつ形成されており、封止可能であるし、必要に応じて開口させることもできる。
【０１２２】
同図に示すように、スロットマシン８０の背面側にも制御ボックス９０が装着され、メンテナンスのためにスロットマシン８０を開いたときには容易に筺体封止構造を視認できる。従って、制御ボックス９０内に手を加えるなどのために金属片挿入部２１や挿入穴形成部１２を破損させれば、次のメンテナンス時にはすぐに見つかってしまう。
【０１２３】
図示していないが、パチロットにも同様に適用可能である。パチロットは、メダルの代わりにパチンコ遊技球を利用するものであり、例えば、パチンコ球の５個がメダル１個に相当して遊技を楽しむことができる。
【０１２４】
このように、スライドして開閉する筺体本体１０と蓋体２０とを合体させて制御ボックスを形成するに際し、予め筺体本体１０の側の挿入穴形成部１２に対して板バネ５０を挿入しておき、遊技機の制御基板３０を蓋体２０内部に保持させてスライドして装着する。蓋体２０と筺体本体１０とが対応する位置関係になったら、金属片挿入部２１と挿入穴形成部１２とが重なり合うので、金属片挿入部２１の開口２１ａ１に金属片４０を挿入していくと、足部４１ａは挿入穴１２ａ内で板バネ５０に係止し、金属片４０が挿入穴形成部１２から抜け出ることはできなくなる。金属片４０の折り返される部分は蓋体２０の金属片挿入部２１の開口２１ａ１内で架橋部２１ｂを挟み込みつつ止まっているので、蓋体２０をスライドさせることもできなくなり、結果として蓋体２０と筺体本体１０とは封止されることになる。
【符号の説明】
【０１２５】
１０…筺体本体
１２…挿入穴形成部
１２ａ，１２ｂ…挿入穴
１２ｃ…壁材
１３…予備収容部
２０…蓋体
２１…金属片挿入部
２１ａ…本体部分
２１ａ１…開口
２１ｂ…架橋部
２２ａ，２２ｂ…樹脂壁
２３…予備収容部用蓋部
２５，２６…遮蔽壁材
３０…制御基板
３１…部品載置面
３２…ＩＣソケット
３４…ケーブル
４０…金属片
４１ａ，４１ｂ…足部
５０…板バネ
５１…長片
５１ｃ…弾性支持爪
５１ｄ…切り起こし爪
５２…短片
６０…パチンコ機
７０…制御ボックス
８０…スロットマシン
９０…制御ボックス
【図１】
2011005331.tif 000003
【図２】
2011005331.tif 000004
【図３】
2011005331.tif 000005
【図４】
2011005331.tif 000006
【図５】
2011005331.tif 000007
【図６】
2011005331.tif 000008
【図７】
2011005331.tif 000009
【図８】
2011005331.tif 000010
【図９】
2011005331.tif 000011
【図１０】
2011005331.tif 000012
【図１１】
2011005331.tif 000013
【図１２】
2011005331.tif 000014
【図１３】
2011005331.tif 000015
【図１４】
2011005331.tif 000016